(57)【特許請求の範囲】
【請求項１】
天板と、使用者から見て前記天板の遠隔側の一辺もしくはその近傍に設けられた、使用者の膝に支持されて前記遠隔側を支えるはめ込み取り外し、又は閉じ開き自在、又はスライド式の膝受板と、使用者から見て近接側一辺もしくはその近傍に、使用者の股に支持されて前記天板の一辺を支えるはめ込み取り外し、又は閉じ開き自在、又はスライド式の股受板とから構成され、
前記膝受板が、使用者の両膝に対向する向きに略両膝に倣った形状の一対の窪み部を有し、
使用時に前記膝受板が前記天板から開き、又は前記天板に取り付けられ、又はスライドされ、コンパクトテーブルが前記膝受板を介して使用者の略膝上で支えられ、
前記股受板が、使用者の両太股に対向する向きに略両股に倣った形状の一対の窪み部を有し、使用時に前記股受板が前記天板から開き、又は前記天板に取り付けられ、又はスライドされ、前記股受板が使用者の両太股で支えられるよう構成されたコンパクトテーブルであって、
前記一対の窪み部の頂点に、前記窪み部に相似する形状の延長受部をはめ込み取り外し、又は閉じ開き自在、又はスライド式に具備し、前記延長受部は、前記窪み部頂点から窪み部最下点までの横幅分を天板より外側にはみ出すように具備したことを特徴とするコンパクトテーブル。
【請求項２】
天板と、使用者から見て前記天板の遠隔側の一辺もしくはその近傍に設けられた、使用者の膝に支持されて前記遠隔側を支えるはめ込み取り外し、又は閉じ開き自在、又はスライド式の膝受板と、使用者から見て近接側一辺もしくはその近傍に、使用者の股に支持されて前記天板の一辺を支えるはめ込み取り外し、又は閉じ開き自在、又はスライド式の股受板とから構成され、
前記膝受板が、使用者の両膝に対向する向きに略両膝に倣った形状の一対の窪み部を有し、
使用時に前記膝受板が前記天板から開き、又は前記天板に取り付けられ、又はスライドされ、コンパクトテーブルが前記膝受板を介して使用者の略膝上で支えられ、
前記股受板が、使用者の両太股に対向する向きに略両股に倣った形状の一対の窪み部を有し、使用時に前記股受板が前記天板から開き、又は前記天板に取り付けられ、又はスライドされ、前記股受板が使用者の両太股で支えられるよう構成されたコンパクトテーブルであって、
前記膝受板及び股受板は右足用及び左足用に分割されており、前記膝受板及び股受板は前記窪み部の略頂点から窪み部の略最下点までの横幅分を天板より外側にはみ出すようにして使用することもできるよう形成したことを特徴とするコンパクトテーブル。
【請求項３】
前記天板を折り畳み式に形成し、該天板がマチを設けたケースの外側となり、前記ケース状の天板を折りたたんだ際、該ケース状の天板の内側に前記膝受板及び前記股受板が収まるよう形成したことを特徴とする請求項１又は請求項２に記載のコンパクトテーブル。
【発明の詳細な説明】
【技術分野】
【０００１】
本発明は、軽量且つコンパクトに折り畳み収納ができ、携帯性にも優れ、屋内外で使用可能なテーブルで、読書や筆記をする際、小型携帯ゲームやノートパソコンを使用する時、また、タッチパネル端末のタイピング操作などで姿勢が悪くなることを回避し、ちょうど良い高さで肩や首への負担を軽減し、簡易的に使用することができるテーブル（テーブル機能を具備した鞄、ケース。）に関するものである。
【背景技術】
【０００２】
米国特許に、天板と使用者から見る天板の遠隔側を支えるフレームとで構成されたテーブルの特許がある。（米国特許第２６９７０１８号）
このテーブルの難点は、天板と天板を支えるフレームを折り畳むことは可能だが、使用者の腹部側である近接側が固定位置でしか支えられない為、高さや角度が一定にしかたもてないものである。
水平に近づけることができない為、パソコン等は預け難い。
テーブルの重さを逃がすことができる足などを具備したタイプがないため、天板にのせた物の全重量が使用者の足に加重される。
【０００３】
バツグという名称の、ノートパソコン等を乗せられ、平面を生ずる取り外し可能なベースをもつリュックの考案がある。このバツグは、取り外したベースが天板となり、天板の裏側に軟らかいビーズ状のものが詰められた変形可能な物が付随されており、それが使用者の足の形状にある程度合うかたちになるようだ。
しかし、この変形自在なビーズにより、テーブルの固定、安定感は得られ難い。
椅子に座った状態では、膝から腹部側にかけてある程度の傾斜がつくと思われ、特に膝側に向かって下がりやすく、作業面を都合よく設置するのは容易ではない。
都合よく設置できたと仮定しても、天板を支えるテーブルの足のようなものがない為、ノートパソコンクラスの重量の物はやはり前後左右に天板ごと傾きやすい。天板を水平および一定の角度でキープするのは難しく、天板及びリュック全体とパソコン等の全ての重さが使用者の足に加重されることになる。
【先行技術文献】
【特許文献】
【０００４】
【特許文献１】米国特許第２６９７０１８号明細書
【特許文献２】米国特許第２００６‐０１６５３１８号明細書
【発明の概要】
【発明が解決しようとする課題】
【０００５】
ソファーや椅子に座った状態や正座、又は膝を伸ばして床などに座った状態等で、読書や筆記をする際や携帯ゲーム、携帯端末を操作する際等に、姿勢がわるくなり猫背になりやすく、首や肩への負担がかかりやすい。そこで、読書中の本等や、それらを持つ手（腕）を膝や太股の上より高い位置で支え、首や肩への負担を軽減することができるように、本発明である、コンパクトテーブルを提供することを目的とするものである。
また、軽量かつコンパクトな設計にすることにより、携帯性にすぐれ、外出先のベンチ等でも使用でき、サラリーマンの方等でも、ノートパソコンを膝及び太ももの上全面で支える、猫背になりやすい低い位置に置いての使用を避け、キーボードをたたきやすい位置に置き、負担を減らし快適にタイピングをすることもできるテーブルを提供することを目的とするものである。
【課題を解決するための手段】
【０００６】
上記目的を解決するために請求項１のコンパクトテーブルは、天板と、使用者から見て前記天板の遠隔側の一辺もしくはその近傍に設けられた、使用者の膝に支持されて前記遠隔側を支えるはめ込み取り外し、又は閉じ開き自在、又はスライド式の膝受板と、使用者から見て近接側一辺もしくはその近傍に、使用者の股に支持されて前記天板の一辺を支えるはめ込み取り外し、又は閉じ開き自在、又はスライド式の股受板とから構成され、
前記膝受板が、使用者の両膝に対向する向きに略両膝に倣った形状の一対の窪み部を有し、
使用時に前記膝受板が前記天板から開き、又は前記天板に取り付けられ、又はスライドされ、コンパクトテーブルが前記膝受板を介して使用者の略膝上で支えられ、
前記股受板が、使用者の両太股に対向する向きに略両股に倣った形状の一対の窪み部を有し、使用時に前記股受板が前記天板から開き、又は前記天板に取り付けられ、又はスライドされ、前記股受板が使用者の両太股で支えられるよう構成されたコンパクトテーブルであって、
前記一対の窪み部の頂点に、前記窪み部に相似する形状の延長受部をはめ込み取り外し、又は閉じ開き自在、又はスライド式に具備し、前記延長受部は、前記窪み部頂点から窪み部最下点までの横幅分を天板より外側にはみ出すように具備した。
【０００７】
この請求項１のコンパクトテーブルによれば、天板に、膝に倣った一対の膝受部を備えた膝受板が折り畳みもしくははめ込み式、又はスライド式で具備され、また、股に倣った一対の股受部を備えた股受板が折り畳みもしくははめ込み式、又はスライド式で具備されている、コンパクトテーブルである。
はめこみ式は、天板や膝受板などの一方に凸形、もう一方に凹形の凹凸を加えるなどしてはめこみ、折り畳み式は蝶番を用いる等し、スライド式は天板のマチ部分に空間を作り、その空間より膝受板などをスライド後固定できるよう形成するなどの方法でする。（その他のはめ込み式、折り畳み式、スライド式も含む。）
また、テーブルの重さを椅子などに逃がすことができる足を具備したり、伸縮自在の膝受板や股受板や足を具備してもよいものである。
【０００８】
また、天板は二つに折り畳み可能に形成することでコンパクトで携帯しやすくするものである。その他三つ折や四つ折も可能なものである。
また、天板を折り畳み式に形成した場合、筆記をする際に溝が邪魔になるが、そのような場合には、下敷ビニールゴムを天板一辺に接続し、天板に被せるように使用することで筆記を邪魔しないようにすることができる。コンパクトテーブルを折り畳んだ状態では下敷ビニールゴムを巻きつけるように外側を覆うことで携帯時の衝撃から守ることもでき、携帯しやすくなる。その際接続部を特に設けなくても下敷ビニールゴムどうしが張り付くような覆い方でもよい。
一対の膝受部によりコンパクトテーブルの安定度はあるが、車内等での使用の際、必要に応じて使用者が一対の膝受部の間を軽く両膝で内側に力を加えることで、更に固定力がまし、安定させることができるものである。（その場合一対の膝受部の間、股受部の間をやや長めに形成することで両膝ではさみやすくすることができる。）
【０００９】
コンパクトに形成するべく天板を小さく形成した場合、膝受板及び股受板も横幅が小さくなるが、そうした場合、図１２ａのように膝受部及び股受部の一対の窪みがあまり大きくすることができなくなる。そこで膝受板及び股受板に、はめ込み取り外し、又は閉じ開き自在、又はスライド式の延長受部を具備することで膝上でより安定した使用感を得ることができる。
【００１０】
延長受部は図１５に示すもので、図１５ａ図１５ｂのようにスライド式で設けるか、図１５ｃのようにはめ込み式や閉じ開き自在に具備するとよい。
閉じ開き自在の場合は、図１４ｂのように外側、内側へと反転できるように具備するものである。また、延長受部は天板に具備してもよい。
【００１１】
請求項２のコンパクトテーブルは、天板と、使用者から見て前記天板の遠隔側の一辺もしくはその近傍に設けられた、使用者の膝に支持されて前記遠隔側を支えるはめ込み取り外し、又は閉じ開き自在、又はスライド式の膝受板と、使用者から見て近接側一辺もしくはその近傍に、使用者の股に支持されて前記天板の一辺を支えるはめ込み取り外し、又は閉じ開き自在、又はスライド式の股受板とから構成され、前記膝受板が、使用者の両膝に対向する向きに略両膝に倣った形状の一対の窪み部を有し、使用時に前記膝受板が前記天板から開き、又は前記天板に取り付けられ、又はスライドされ、コンパクトテーブルが前記膝受板を介して使用者の略膝上で支えられ、前記股受板が、使用者の両太股に対向する向きに略両股に倣った形状の一対の窪み部を有し、使用時に前記股受板が前記天板から開き、又は前記天板に取り付けられ、又はスライドされ、前記股受板が使用者の両太股で支えられるよう構成されたコンパクトテーブルであって、
前記膝受板及び股受板は右足用及び左足用に分割されており、前記膝受板及び股受板は前記窪み部の略頂点から窪み部の略最下点までの横幅分を天板より外側にはみ出すようにして使用することもできるよう形成した。
【００１２】
この請求項２のコンパクトテーブルによれば、天板に、膝に倣った一対の膝受部を備えた膝受板が折り畳みもしくははめ込み式、又はスライド式で具備され、また、股に倣った一対の股受部を備えた股受板が折り畳みもしくははめ込み式、又はスライド式で具備されている、コンパクトテーブルである。
はめこみ式は、天板や膝受板などの一方に凸形、もう一方に凹形の凹凸を加えるなどしてはめこみ、折り畳み式は蝶番を用いる等し、スライド式は天板のマチ部分に空間を作り、その空間より膝受板などをスライド後固定できるよう形成するなどの方法でする。（その他のはめ込み式、折り畳み式、スライド式も含む。）
【００１３】
前記膝受板及び股受板は前記窪み部の略頂点から窪み部の略最下点までの横幅分を天板より外側にはみ出すようにして使用することもできるよう形成したものである。
図２２に示すもので、図２２ａの膝受板及び股受板の状態から図２２ｂの膝受板及び股受板の状態に自在に反転できるよう形成することで、小さい天板でもずれ難い安定した設置が可能となる。
また、テーブルの重さを椅子などに逃がすことができる足を具備したり、伸縮自在の膝受板や股受板や足を具備してもよいものである。
【００１４】
請求項３のコンパクトテーブルは、前記天板を折り畳み式に形成し、該天板がマチを設けたケースの外側となり、前記ケース状の天板を折りたたんだ際、該ケース状の天板の内側に前記膝受板及び前記股受板が収まるよう形成した。
【００１５】
この請求項３のコンパクトテーブルによれば、天板が小さくても安定した使用が可能な延長受部を具備した請求項１のコンパクトテーブルや、膝受板と股受板が左右分割されており、天板の外側にはみ出すよう具備することができる請求項２のコンパクトテーブルの天板が折り畳み式に形成されたもので、天板にある程度マチを設け、天板面が外側となり、天板を折り畳む際に内側に膝受板及び股受板が収まるように形成したものである。
図１３、図１８に示すものがそれにあたるものであり、図２４に図示したように本の背表紙のようなマチ部分を少なくとも一箇所設け、天板を含めて外ケースの役割をはたした物もこの請求項３のケース状の天板と言えるものである。
その他、スライド下敷き（折り畳み下敷等。）を天板の裏面に具備し、テーブルとして使用する際に裏面側で天板が折れ曲がるのを防ぐことができる。その他スライド下敷きを棒状に形成し、上下二本など複数具備することでも天板の折れ曲がりを防ぐことができるが、スライド下敷きなどを具備することなく天板が折れ曲がらないように形成することが望ましい。
また、テーブルの重さを椅子などに逃がすことができる足を具備したり、伸縮自在の膝受板や股受板や足を具備してもよいものである。
【発明の効果】
【００１６】
椅子９に座った状態や、正座、又は床に座った状態等で読書や、筆記をする際、携帯ゲームをする際等に、姿勢がわるくなり猫背になりやすく、首や肩への負担がかかりやすい。そこで、読書中の本等や、それを持つ手（腕）を膝の上より高い位置で支えるために、携帯性にすぐれた軽くコンパクトなコンパクトテーブル１００や、コンパクトテーブル１００機能を具備した鞄を使用することで姿勢を楽に保つことができる効果がある。
【００１７】
天板１と、天板１の使用者から見て遠隔側を膝上付近１０で支える膝受板２を具備し、その膝受板２に、略両膝の湾曲に倣うように形成された膝受部３を設け、前記膝受板２は、前記天板１より、必要時に開き、又は着脱可能な膝受板２を天板１に取り付け、さらに股受板３９を具備し、使用者から見た近接側も支えることで、用途別で角度を調整することができ、膝受板２と股受板３９とを併用することで、さらに固定力、安定力を増す効果があり、コンパクトテーブル１００を使用することで、首や肩への負担を軽減させる効果がある。
【００１８】
このコンパクトテーブル１００は、両サイドで天板１を支える右足板４と左足板５を具備することにより、使用者が座る椅子９の狭いスペースでも、テーブル本体および、テーブル上の物の重さを使用者の膝以外の部分でも逃がすことができ、長時間の使用ができる効果がある。
【００１９】
さらに、膝受板２、股受板３９、右足板４、左足板５などに伸縮機能や、着脱可能なはめ込み機能（高さ調節可能なはめ込み機能）を備えることにより、コンパクトテーブル１００の高さ調節や角度調節をすることができる効果がある。
その他、右足板４と左足板５の、使用者から見る近接側の接地面を斜めにカットしておくことで、コンパクトテーブル１００を手前側に傾けた際、カットされた部分が接地し、安定度が増す効果がある。また、右足板４と左足板５の近接側接地面の角をなくし、まるくすることで、近接側の接地を容易に（スムーズに）変更させることができる効果がある。
【００２０】
また、膝受板２は、使用者の両膝に倣うように湾曲部を形成している為、テーブルと使用者の足とをずれ難くし、その膝受板２を、椅子９より奥側に出る膝上付近１０（椅子９、ベンチ等に座った時、深く腰をかけても必ず膝のほうが前に出る。）に接地し、天板１を支える為、膝受板２より前方（使用者から見る遠隔側。）の空間も広く有効に活用することができるというメリットも兼ね備えている。
【００２１】
さらに、膝受板２の膝受部３で、ある程度の時間の経過で、加重により使用者の足に負担がかかる為、取り外し可能な膝受アタッチメント３７を付随しておき、このアタッチメントを使用（取り付ける。）することで、天板１及びテーブル上の物の重さを膝上付近１０の面で支えることができる為、使用者への負担を軽減する効果がある。
この膝受アタッチメント３７は使用者の膝に触れる湾曲部分が広くなっており、面で膝付近を広めに支え、使用者の膝上付近１０に触れる面の裏側（上部。）に膝受板２をはめ込むことができる設計になっているものである。
【００２２】
また、天板１の面に、使用者から見て近接側にステー１１（へり）を設けることで、紙やノート、本１３などを置きやすくする効果がある。
天板１の一部に本１３を支えるための、凹み部もしくは突起部を設け、読書の際に凹み部へ本１３の背表紙下側をはめ込むように置くことで、楽に本１３を支えることができる効果がある。
突起部の場合は、天板１に突起を備える他、折り畳み式で突起部を具備しても本１３を支えやすくする効果がある。これらの突起部により小型ゲーム機なども支えて使用することができ、コンパクトテーブル１００に角度を調整して使用することで、猫背になる負担のかかる姿勢を避けることができるため、ペン操作を含むゲームでは特に重宝するものである。
また、タッチパネル液晶端末を使用する際にも重宝するものであり、それを目的に端末が支えやすいように突起部を形成したものがあってもよい。
【００２３】
また、コンパクトテーブル１００が使用者の足に接地する部分に、周りを滑り止め効果のある布などで緩衝材を包んだ、滑り止め兼緩衝材８を具備することで、使用者への負担を軽減し、且滑りにくい状態で使用できる効果がある。
その他、コンパクトテーブル１００使用者が読書や携帯ゲーム機を使用する際、天板１で手を支えて使用するが、手を支える辺りの天板１に滑り止め兼緩衝材８を具備することで、使用者への負担を軽減する効果がある。
【００２４】
また、軽量かつコンパクトな設計にし、外出先のベンチ等でも使用でき、サラリーマンの方等でも、ノートパソコンを膝および太股の上全面で支える、低い位置に置いての使用を避け、キーボードもたたきやすい位置に置き、負担を減らし快適にタイピングをすることができる効果がある。
【００２５】
その他、鞄形のコンパクトテーブル１００は、中にノートパソコンや、その他の物を入れて持ち運びができ、天板１として使用される一面と、前記天板１の反対側となる裏面とを有し、裏面の使用者から見る遠隔側や、使用者から見る近接側に、膝受部３や、股受部４０として使用者の両膝や両股に倣った凹みを設けることで、テーブルとしての使用時のずれを抑える効果がある。
【００２６】
さらに、前記鞄形のコンパクトテーブル１００は、天板１の使用者から見た遠隔側に、膝受板２がスライド式または、折り畳み式で取り付けてあり、（又ははめ込み式で用意し）使用時にスライド、固定し、又は開いて（はめ込み式を組み立て）使用者の膝上付近１０に接地することで、角度調整機能を備え、ずれ難く、快適にテーブル上での作業をおこなうことができる効果がある。
【００２７】
また、前記鞄形のコンパクトテーブル１００は、両サイドを支える左右の足板が前記裏面に折り畳み式で具備されており、（又ははめ込み式を備えておき）その左右の足板を開き、（又は取り付け）両サイドを支えることで、椅子９の狭いスペースでも、テーブル本体および、テーブル上の物の重さを使用者の膝以外の部分でも逃がすことができ、長時間の使用ができる効果がある。
その他、前記左右の足板に、伸縮機能（はめ込み式伸縮機能など。）を設けることで、高さ調節も可能にする効果がある。また、ネジ式や２本のシャフトを伸縮及び固定させるタイプの伸縮足１４を具備することでも高さ調節を可能とする効果がある。
【図面の簡単な説明】
【００２８】
【図１】コンパクトテーブルの斜視図である。
【図２】（ａ）は、図１ｂのコンパクトテーブルの膝受板及び股受板を折り畳んだ状態を示す斜視図であり、（ｂ）は、（ａ）を更に折り畳んだ状態を示す斜視図である。
【図３】（ａ）は、足の設置部を丸く形成した足を具備したコンパクトテーブルの斜視図であり、（ｂ）は（ａ）の側面図である。
【図４】（ａ）は、図３の裏面を示す斜視図であり、（ｂ）は実施例側面図である。
【図５】設置部を丸く形成した別のタイプの足を具備したコンパクトテーブルを使用した実施例の側面図である。
【図６】（ａ）は、伸縮膝受板、伸縮足板を具備した鞄形コンパクトテーブルの斜視図であり、（ｂ）は、鞄形コンパクトテーブル裏面を示す平面図である。
【図７】別のタイプの伸縮足を具備した斜視図である。
【図８】（ａ）ははめ込み式の足を具備したコンパクトテーブルの斜視図であり、（ｂ）はその側面図である。
【図９】収納式本支え部を具備した天板を示す斜視図である。
【図１０】（ａ）は鞄底面に膝受板を具備したコンパクトテーブルの斜視図であり、（ｂ）はその膝受板を開いた状態を示す斜視図である。
【図１１】（ａ）（ｂ）は本支え部とステーを示す斜視図である。
【図１２】（ａ）は小さい天板と膝受板及び股受板を示す斜視図であり、（ｂ）は延長受部を具備したことを示す斜視図である。
【図１３】（ａ）はケース形コンパクトテーブルを示す斜視図であり、（ｂ）はそれを開いた状態を示す斜視図である。
【図１４】（ａ）は図１３を開き、天板面を上に向けた状態を示す斜視図であり、（ｂ）は（ａ）に延長受部を具備した斜視図である。
【図１５】（ａ）（ｂ）は延長受部をスライド式で具備したことを示す斜視図であり、（ｃ）は閉じ開き自在又ははめ込み式を示す斜視図である。
【図１６】（ａ）は下敷ビニールゴムを天板に敷いた状態を示す斜視図であり、（ｂ）は折り畳み後下敷ビニールゴムを覆った状態を示す斜視図である。
【図１７】（ａ）（ｂ）は軽量化もできる膝受板及び股受板を示す斜視図である。
【図１８】ケース形コンパクトテーブルの天板裏面にスライド下敷きを具備したことを示す斜視図である。
【図１９】（ａ）は膝受アタッチメントを示す斜視図であり、（ｂ）（ｃ）はその側面図である。
【図２０】（ａ）（ｂ）は鞄形コンパクトテーブルに膝受板及び股受板を折り畳み式で具備した斜視図である。
【図２１】（ａ）は鞄形コンパクトテーブルに膝受板及び股受板を折り畳み式で具備した斜視図であり、（ｂ）は天板の遠隔側近傍に膝受板を具備し、近接側近傍に股受板を具備したことを示す斜視図である。
【図２２】（ａ）は膝受板及び股受板を左右分割した天板の小さいコンパクトテーブルの斜視図であり、（ｂ）は膝受板及び股受板の膝受部及び股受部を反転させた状態を示す斜視図である。
【図２３】（ａ）は天板が三つ折り可能に形成されたコンパクトテーブルの斜視図であり、（ｂ）は膝受板及び股受板を片足分折り畳んだ状態を示す斜視図であり、（ｃ）は天板及び膝受板、股受板を折り畳んだ斜視図である。
【図２４】（ａ）はケース形別タイプを示す斜視図であり、（ｂ）は（ａ）を折り畳んだ状態を示す斜視図である。
【発明を実施するための形態】
【００２９】
以下、本発明を添付図面に示す実施例に基づいて一例を説明する。
【００３０】
図１は、天板１に膝受板２及び股受板を具備したコンパクトテーブル１００の斜視図であり、（ｂ）は、前期（ａ）の天板を折り畳み可能に形成した斜視図ある。コンパクトテーブル１００の素材の一例としては、合成樹脂素材や木製などで形成したり、その他、軽量であることや、耐久性がある程度すぐれた素材であることが望ましい。波型などの凹凸をつけることで、耐久性を高めてもよい。
正座や、床に膝を伸ばして座った状態、椅子９に座った状態の使用者の太股に天板１を置き、使用者の両膝に倣った一対の窪み部を膝受部３として形成した膝受板２を、天板１の使用者からみる遠隔側に具備し、その膝受板２を使用者から見る遠隔側にして、膝受部３を使用者の膝上に接地させ、同じく近接側には股受部を具備した股受板を使用者の股付近に接地させることで使用可能となるコンパクトテーブル１００である。
また、このコンパクトテーブル１００の天板１に具備した膝受板２を、片膝に倣った窪み部を設けた膝受板２とし、これを一対天板１に備えたものも本発明のコンパクトテーブル１００である。
【００３１】
コンパクトテーブル１００の厚さは、あくまでも一例であるが、１センチ前後程か、折り畳みテーブル１００のタイプによって形成するとよい。
また、天板１の広さは、あくまでも一例であるが、横幅は４０センチ前後程、奥行は、３０センチ前後程、膝受板２より奥側（膝側）のスペースも必要な場合は、４０センチ前後程で形成するとよい。（個人により必要とするサイズは異なる為、この例より大きくても小さくてもよい。）
【００３２】
不使用時は、折り畳み収納され、鞄に入れての携帯にもすぐれており、使用時に、膝受板２の膝受部３を、膝上付近１０に接地し、蝶番７など（蝶番７でなくても、合成樹脂がかみ合うような折り畳み機能、その他の折り畳み機能も含む）で付随した天板１を使用者の足（太股）の上に置き、使用する。
また、近接側にくる股受板の使用者側に、緩衝材として軟らかい素材を設け
ることで、ある程度の長時間使用がしやすくなり、緩衝材の外側に摩擦抵抗のある素材を用いることで、滑り止めとしての効果も付随することができ、股受板を折り畳み角度を付けて使用する際、太股への負担を減らすこともできる。
その他、滑り止め兼緩衝材８を、使用者が読書中などで天板１に手を置く辺りに備えることで、さらに手にかかる負担を減らす効果があるものである。
【００３３】
また、天板１に凹みや突起で、本支え部１２を設けることで、読書をする際に本１３を支えることを補助することができ、使用者の負担をさらに軽減することができる。突起部は格納できるように備えると、天板１としての機能を保ちやすいが、筆記には多少の難がある為、できるだけ差し支えない部分に取り付けることが望ましい。（遠隔側等。）
【００３４】
天板１の使用者から見る近接側にステー１１を具備することにより、ノートや書類、その他のテーブル上の物を、支えることができ、書き物をするときなど、傾斜がついた状態でも、安心して作業することができるものである。
【００３５】
天板１を両サイドで支えることができる、右足板４および左足板５を具備することで、テーブル上の物の重さや、テーブル自体の重さを、使用者の足以外の部分で逃がすことができるものである。
この両サイドを支える、右足板４および左足板５は、天板１の横幅の、半分以上の高さを必要とする足板の場合は、足接地面６付近をかみ合うように折り畳むことで、長めの足板が必要な場合でも折り畳み収納することができるものである。
【００３６】
膝受板２より、天板１を使用者から見る遠隔側に突き出すことで、コンパクトテーブル１００奥側の空間をも有効に広く活用することができるものである。
また、足板ではなく、ネジ式や伸縮及び固定できる２本のシャフトなどで伸縮足１４を設けることでも、高さ調節機能が付随される。
【００３７】
伸縮機能を具備した膝受板２は、伸縮用蝶番１５を用いて接続され、バネ式蝶番固定部１６により固定され、（スプリングにより外側に押し出された金具部に力を加えることで凹み、離せば再度外側に押し出される構造。）長さを調節することができるものである。
はめ込み式の膝受板及び股受板に伸縮機能を具備したものは、例えば膝受板及び股受板を縦に二分割し、天板に接続された部分には凹部を具備し、膝受部及び股受部側に凸部を設けて、それら凹部及び凸部を縦に複数用意しておき、接続部を変えることで高さ調節が可能となる伸縮機能を具備してもよい。
また、右足板４および左足板５の、使用者から見る近接側接地面を斜めにカットしておくことで、コンパクトテーブル１００を使用者側に傾けた際、カットされた部分が接地し、安定度が増す効果がある。
また、右足板４と左足板５の、使用者から見る近接側接地面の角をなくし、まるくすることで、右足板４と左足板５の角度を容易に（スムーズに）変更させることができる効果がある。
【００３８】
はめ込み式のコンパクトテーブル１００は、蝶番７に凹形はめ込み部２０を具備し（もしくは、はめ込み部のある板等に蝶番７を具備したり、その他の接続方も含む。）、膝受板２には凸形はめ込み部１９を設けることで、それらを接続、分離することができるものである。
また、不使用時は接続状態で折り畳み収納も可能な設計であり、右足板４および左足板５も折り畳み収納可能である。（はめ込み式でもよい。）
【００３９】
鞄形のコンパクトテーブル１００は内側に書類やパソコン、その他の物を収納持ち運びができるようになっているものである。
鞄形のコンパクトテーブル１００は、天板１の反対側となる裏面の、使用者から見る遠隔側に膝受部３を設けており、そのまま座った状態の使用者の太股付近に設置して使用する。
また、左右の足板を開いて使用することで、鞄形コンパクトテーブル１００や、使用中の天板１上の、物の重さを左右の足板へと逃がすことができ、伸縮足板２６は、留めネジ２７を用いてネジ穴２８へ留めることで足を伸縮することができ、高さ調節が可能となるものである。（その他の伸縮及び固定可能な足
板も含む。）
【００４０】
図６ａの鞄形のコンパクトテーブル１００は、膝受板２がスライド式になっており、不使用時は格納し、鞄の底面でネジで固定したり、（図６ｂ参照。）スライド式の膝受板２が膝受板格納部３２に、スプリングによって外側にボールを押し出す力が働いた構造のボール部に、外から力が加わるとスプリングが縮みボールが内側へ凹み、離すとスプリングが再度ボールを外側へと押し出してくる構造のボールスプリング３４を具備して膝受板２を固定してもよい。（図７参照。）
また、はめ込み式で膝受板２を備えてもよく、それらの膝受板２を具備することで、鞄形のコンパクトテーブル１００の角度及び高さを調整することが可能であり、鞄形のコンパクトテーブル１００を使用時にずれ難くすることができるものである。（その他のスライド及び固定機能、折り畳み格納固定機能も含む。）
【００４１】
また、図６の鞄形のコンパクトテーブル１００は、裏面の使用者から見る近接側に股受部４０を設けており、これを、座った状態の使用者の太股付近に接地（接触させる。）することで鞄形のコンパクトテーブル１００をずれ難くし、さらに安定感のある使用を可能とするものである。
【００４２】
図７の鞄形のコンパクトテーブル１００は、膝受板２が折り畳み式になっており、使用時に開き、不使用時は、格納することができるよう取り付けられた膝受板２である。
この膝受板２及び膝受板格納部３２に、前記ボールスプリング３４機構を具備し、折り畳み式膝受板２を具備している。
図８は、右足板４及び左足板５は、はめ込み式の物を図示しており、足板もしくは伸縮足板２６のいずれか一方が、凸部を設け、もう一方を凹部とし、使用時に分離後、高さに合った位置ではめ込むことで高さ調整することができるものである。
【００４３】
図１９は、膝受アタッチメント３７を図示したものであり、図１７ａに示す湾曲部を使用者の膝付近に接地するようにし、その上にある二枚の板状の間に、コンパクトテーブル１００の膝受板２が収まるよう接続することで、使用者の足へかかる加重を面で支えることができるようになり、負担を軽減して作業をすることができるものである。
【００４４】
図７は、足板ではなく、左右の足は伸縮足１４を具備した鞄形のコンパクトテーブル１００である。
また、いずれ（図７に限らず、全てのコンパクトテーブル）の膝受板２も、左右別に具備してもよく、左右の膝受部３を一対具備した膝受板２でもよい。
【００４５】
図１は、天板１に膝受板２と股受板３９とを具備したコンパクトテーブル１００を図示している。このコンパクトテーブル１００は、使用者の近接側を股受板３９により支えることで、天板１の高さを調節することができ、股受部４０を使用者の太股付近に接地することで、さらに固定力を増し安定した状態で使用することができるものである。
勿論はめ込み式などで高さ調節機能を具備してもよい。
また、このタイプは使用者が両足をのばして座った状態でも支障なく使用することができる。
【００４６】
図８は、前記膝受板２と股受板３９を具備したコンパクトテーブル１００に、右足板４および左足板５を具備し、はめ込み機能を備えたものを図示している。足の接地面は、まるくカットしてある為、角度の変更がスムーズに行うことができるものである。（その他の足を具備し支えてもよい。）
【００４７】
以上、本発明を実施例に基づき説明したが、本発明は上記実施例に限定されるものではなく、本発明の趣旨を剥脱しない範囲内で色々な改良、変形が可能であることは容易に推察できるものである。
【００４８】
例えば、天板１と膝受板２とを折り畳んだ際、その二つを固定することができるよう、ローラーキャッチや、その他のキャッチ、その他の固定機能などを用いて固定できるようにしたものが好ましく、それらは天板１と股受板３９や、天板１と足とを折り畳んだ際も同じことがいえるものである。
【００４９】
また、天板１を支える全ての足に言えることで、接地する部分はゴム素材などの滑り止めを設けるとよい。
その他、ケース形のコンパクトテーブル１００の底部に膝受板２を備え、蝶番７などにより使用時に開いて接地するタイプがあってもよい。（図１０参照。）
【００５０】
また、読書や携帯ゲーム用として、携帯に便利な小スペースな天板１で、本１３を持った両手が支えられる程度の形に形成し、本支え部１２として凹みを設け、又は携帯ゲームを支えられる凸部を設けたコンパクトテーブル１００があってもよい。
特にコンパクトを重視しているタイプで伸縮足１４を具備する際は、２本のシャフトとシャフトプロテクターを使ったものが好ましい。
【００５１】
また、前記コンパクトタイプは、伸縮膝受板３１を具備していることが好ましく、一例としては、膝受板２の使用者側にくる面に、引金リング４２を具備し、外側に力が働くようにしたスプリングで固定した状態から、引金リング４２を内側に引くことで凸形はめ込み部１９が凹型はめ込み部２０から外され、別の凹型はめ込み部２０へと凸形はめ込み部１９をはめ込むことで伸縮可能となるものである。（その他の伸縮機能も含む。）
【００５２】
シャフトとシャフトプロテクターを使った伸縮足１４は、シャフトプロテクターで連結される２本のシャフトを、反時計回りに回すことで緩み、その際伸縮自在となり長さ調整し、最適な長さにして時計回りに回すことでロックされる構造や、その他の伸縮機能が備わった伸縮足１４が好ましい。
【００５３】
両膝に倣った形状の一対の窪み部や両股に倣った形状の一対の窪み部と記載された一対とは、使用者の右膝の右側（外側）にくる脚の湾曲にだいたい倣った形状の窪みと、左膝の左側（外側）にくる脚の湾曲にだいたい倣った形状の窪みとで一対と言えるものであり、（図２０、図２１に示す股受板のような形状のもの。）、使用者の右膝の左側（内側）にくる脚の湾曲にだいたい倣った形状の窪みと、左膝の右側（内側）にくる脚の湾曲にだいたい倣った形状の窪みとで一対と言えるものである。（図１２に示す膝受板及び股受板。）また、全ての膝受板及び股受板がこれに当てはまるものである。
【００５４】
膝受板や股受板の軽量化を目的として必要部分を残して空洞化した物を具備してもよく、（図１７参照。）このように空洞化（フレーム化。）した物も膝受板及び股受板と言えるものである。この際ある程度柔軟性を持たせてもよい。
【符号の説明】
【００５５】
１      天板
２      膝受板
３      膝受部
４      右足板
５      左足板
６      足接地面
７      蝶番
８      滑り止め兼緩衝材
９      椅子
１０    膝上付近
１１    ステー
１２    本支え部
１３    本
１４    伸縮足
１５    伸縮用蝶番
１６    バネ式蝶番固定部
１７    足板斜めカット部
１８    足板角丸部
１９    凸形はめ込み部
２０    凹形はめ込み部
２１    収納式本支え部
２２    鞄内側
２３    取っ手
２４    収納ネット
２５    鞄の天板面
２６    伸縮足板
２７    留ネジ
２８    ネジ穴
２９    留め具
３０    留め具受部
３１    伸縮膝受板
３２    膝受板格納部
３３    折り畳み膝受板
３４    ボールスプリング
３５    ボール固定部
３６    はめ込み式足板
３７    膝受アタッチメント
３８    膝受板はめ込み部
３９    股受板
４０    股受部
４１    収納溝
４２    引金リング
８０    延長受部
８１    マチ
８２    下敷ビニールゴム
８３    かけひも
８４    ひも受具
８５    下敷受部
８６    スライド下敷き
８７    股受板格納部
８８ 固定ベルト
１００  コンパクトテーブル
【要約】      （修正有）【課題】携帯や収納が容易にでき、床や椅子に座った状態の使用者の膝上でずれ難く、楽な姿勢を維持し、使用者の負担を軽減する効果がある折り畳みテーブルを提供する。【解決手段】天板１と膝受板２と股受板３９からなるテーブルで、膝受部を設けた膝受板２及び股受部を設けた股受板３９を天板１から開き、使用者の膝上に接触させてコンパクトテーブルを使用することで、ずれ難く楽な姿勢でテーブル作業をすることができる。天板１をケース形に形成し、膝受板２及び股受板３９をケースの内側や外側に具備することで更に携帯性が向上する。【選択図】図１３【図１】
0004787379.tif 000002
【図２】
0004787379.tif 000003
【図３】
0004787379.tif 000004
【図４】
0004787379.tif 000005
【図５】
0004787379.tif 000006
【図６】
0004787379.tif 000007
【図７】
0004787379.tif 000008
【図８】
0004787379.tif 000009
【図９】
0004787379.tif 000010
【図１０】
0004787379.tif 000011
【図１１】
0004787379.tif 000012
【図１２】
0004787379.tif 000013
【図１３】
0004787379.tif 000014
【図１４】
0004787379.tif 000015
【図１５】
0004787379.tif 000016
【図１６】
0004787379.tif 000017
【図１７】
0004787379.tif 000018
【図１８】
0004787379.tif 000019
【図１９】
0004787379.tif 000020
【図２０】
0004787379.tif 000021
【図２１】
0004787379.tif 000022
【図２２】
0004787379.tif 000023
【図２３】
0004787379.tif 000024
【図２４】
0004787379.tif 000025